(57)【要約】      （修正有）【課題】  フレキシブル配線板用コネクタのコンパクト化を図る。【解決手段】  コネクタハウジング５内にクランク状に折り曲げられた仕切板６を設置して一方の挿入口３から挿入されるフレキシブル配線板１と他方の挿入口４から挿入されるフレキシブル配線板２とをその仕切本体６Ａの両面側に夫々配置できるようにし、この仕切本体６Ａに電気接続子８をセットする複数の切欠孔７を設け、電気接続子８の上端はコネクタハウジング５上部に、下端は下部に圧接し、電気接続子８の上端及び下端と夫々のフレキシブル配線板１，２の露出する端部の回路導体１Ａ，２Ａとを接触させるようにした。【選択図】  図１
2006216490.tif 000002
【特許請求の範囲】
【請求項１】
コネクタハウジングに２枚のフレキシブル配線板の端部を挿入するための一対の挿入口を設け、コネクタハウジング内に設けた電気接続子を介して２枚のフレキシブル配線板の回路導体を互いに接続するフレキシブル配線板用コネクタにおいて、
前記コネクタハウジング内にクランク状に折り曲げられた仕切板を設置して一方の挿入口から挿入されるフレキシブル配線板と他方の挿入口から挿入されるフレキシブル配線板とをその仕切本体の両面側に夫々配置できるようにし、
この仕切板の仕切本体に電気接続子をセットする複数の切欠孔を設け、
前記電気接続子をその上端がコネクタハウジングの上部内面に、下端が下部内面に圧接するように切欠孔にセットし、
この電気接続子上端及び下端と夫々のフレキシブル配線板の露出された端部の回路導体とを接触させることを特徴とするフレキシブル配線板用コネクタ。
【請求項２】
前記電気接続子の側面形状をＳ字状に折曲形成したことを特徴とする請求項１に記載のフレキシブル配線板用コネクタ。
【請求項３】
前記電気接続子を、板状物の上方に突出する第１突部を上部とし、この第１突部から離れて下方に突出する第２突部を下部とする構成としたことを特徴とする請求項１に記載のフレキシブル配線板用コネクタ。
【発明の詳細な説明】
【技術分野】
【０００１】
本発明は、自動車やＯＡ機器等の配線に多く用いられるフレキシブルプリント配線板（ＦＰＣ）とかフレキシブルフラットケーブル（ＦＦＣ）などのフレキシブル配線板の回路導体を互いに接続するためのフレキシブル配線板用コネクタに関する。
【背景技術】
【０００２】
この種、フレキシブル配線板、例えばＦＰＣは、ポリイミドやポリエチレンテレフタレート等の絶縁フィルム（ベースフィルム）上に圧延銅箔や電解銅箔等よりなる回路導体で回路パターンを形成し、さらにその上に前述同様の絶縁フィルム（カバーレイ）を貼り合わせた構造とされている。従って、このようなＦＰＣは可撓性を有し、回路導体がフィルム上にパターン化されているので配線が行ないやすく、特に複雑な回路間や装置間の接続によく利用されている。そしてこのＦＰＣを接続するコネクタとしては、ＦＰＣの端部が挿入される一対の挿入口を有するコネクタハウジングと、コネクタハウジング内に保持されると共に、各挿入口から夫々挿入された各ＦＰＣの端部の回路導体に接触される接続突部を夫々有する単一片から形成された電気接続子と、各ＦＰＣの端部を前記接続突部側に押圧する押圧体とを備えてなるものが開発されている（特許文献１参照）。
【０００３】
この特許文献１に記載のコネクタによれば、図５に示すように、コネクタハウジング１００の各挿入口１０１，１０２より、各ＦＰＣ１０３，１０４の端部が挿入され、夫々の回路導体１０３Ａ，１０４Ａが電気接続子１０５の各接続突部１０６に接触され、ここに電気接続子１０５を通じて両ＦＰＣ１０３，１０４の回路導体１０３Ａ，１０４Ａが互いに接続される。また、押圧体１０７によって各ＦＰＣ１０３，１０４が接続突部１０６側に押圧されるため、各回路導体１０３Ａ，１０４Ａと各接続突部１０６とが圧接され、接触部の信頼性が向上する。そして、ＦＰＣ１０３，１０４の回路導体１０３Ａ，１０４Ａを互いに接続する接続子１０５およびコネクタハウジング１００の単一化が図れ、従って製造工程の単一化が図れ、生産性が向上し、製造コスト低減が図れる、というものである。
【特許文献１】実開平５−３１１６７号公報（第２頁、図１）
【発明の開示】
【発明が解決しようとする課題】
【０００４】
従来のコネクタは、ＦＰＣ同士を同一レベルで突き合わせる構造であり、全体として長手方向の長さが大きくなり、コンパクト化が図りづらいものであった。
【０００５】
そこで、本発明は、ＦＰＣやＦＦＣ等のフレキシブル配線板同士の接続の容易性、確実性ないしは信頼性を向上させ、コンパクト化を図ったフレキシブル配線板用コネクタを提供することを目的とする。
【課題を解決するための手段】
【０００６】
上述の目的を達成するため、本発明は、コネクタハウジングに２枚のフレキシブル配線板の端部を挿入するための一対の挿入口を設け、コネクタハウジング内に設けた電気接続子を介して２枚のフレキシブル配線板の回路導体を互いに接続するフレキシブル配線板用コネクタにおいて、前記コネクタハウジング内にクランク状に折り曲げられた仕切板を設置して一方の挿入口から挿入されるフレキシブル配線板と他方の挿入口から挿入されるフレキシブル配線板とをその仕切本体の両面側に夫々配置できるようにし、この仕切板の仕切本体に電気接続子をセットする複数の切欠孔を設け、前記電気接続子をその上端がコネクタハウジングの上部内面に、下端が下部内面に圧接するように切欠孔にセットし、この電気接続子上端及び下端と夫々のフレキシブル配線板の露出された端部の回路導体とを接触させるようにしたものである。
【発明の効果】
【０００７】
本発明によれば、コネクタハウジングに２枚のフレキシブル配線板の端部を挿入するための一対の挿入口を設け、コネクタハウジング内に設けた電気接続子を介して２枚のフレキシブル配線板の回路導体を互いに接続するフレキシブル配線板用コネクタにおいて、前記コネクタハウジング内にクランク状に折り曲げられた仕切板を設置して一方の挿入口から挿入されるフレキシブル配線板と他方の挿入口から挿入されるフレキシブル配線板とをその仕切本体の両面側に夫々配置できるようにし、この仕切板の仕切本体に電気接続子をセットする複数の切欠孔を設け、前記電気接続子をその上端がコネクタハウジングの上部内面に、下端が下部内面に圧接するように切欠孔にセットし、この電気接続子上端及び下端と夫々のフレキシブル配線板の露出された端部の回路導体とを接触させるので、ＦＰＣ等を挿入口に挿入するだけでＦＰＣ等同士の接触が容易かつ確実になされ、しかも２つの挿入口は同一レベルではなく、上下に離れ、ＦＰＣ等の端部同士が仕切板を介して上下で重なり合うためにコネクタの小型化が図れる。
【発明を実施するための最良の形態】
【０００８】
以下に、本発明の好適な実施形態を図面を参照にして説明する。
【０００９】
図１は本発明の実施形態におけるフレキシブル配線板用コネクタの分解斜視図であり、２枚のＦＰＣあるいはＦＦＣなどのフレキシブル配線板１，２の端部を挿入するための一対の挿入口３，４を設けたコネクタハウジング５が、アッパー部材５Ａとボトム部材５Ｂとから構成してある。アッパー部材５Ａは、図面上左側面と下面とが開口した升型のものであり、ボトム部材５Ｂは、右側面と上面とが開口した升型のものであり、両者を重ね合わせるように組み立てる。アッパー部材５Ａとボトム部材５Ｂとは、一方の係止爪が他方の係止部に係止して一体化される。このアッパー部材５Ａとボトム部材５Ｂとの間に仕切板６を設けてある。この仕切板６は、仕切本体６Ａの一端側に上方に延びる折曲部６Ｂと他端側に下方に延びる折曲部６Ｃを有し、全体としてその側面形状がクランク状に折り曲げられた形をなしている。そして、仕切本体６Ａの中央部に複数の切欠孔７を設けてある。この仕切本体６Ａの上側にはフレキシブル配線板１が差し込まれて位置し、仕切本体６Ａの下側にはフレキシブル配線板２が差し込まれて位置する。前記切欠孔７の個所には夫々電気接続子８をセットする。前記フレキシブル配線板１，２には夫々回路導体１Ａ，２Ａが設けてあり、これらの回路導体１Ａ，２Ａの露出する端部が、電気接続子８に接触し、この電気接続子８を介してフレキシブル配線板１とフレキシブル配線板２とが接続される。前記コネクタハウジング５や仕切板６は、プラスチック材料等の電気絶縁材料で形成される。
【００１０】
図２はコネクタハウジング５を組み立てた状態で、各挿入口３，４にフレキシブル配線板１，２を挿入する前の断面図を示し、電気接続子８の側面形状がＳ字状に折り曲げ形成され、このＳ字状の電気接続子８の上端はコネクタハウジング５のアッパー部材５Ａの内面に圧接し、電気接続子８の下端はコネクタハウジング５のボトム部材５Ｂの内面に圧接している。フレキシブル配線板１，２は、ベースフィルム１Ｂとカバーレイ１Ｃとの間に回路導体１Ａを挟んだ構造となっている。挿入口３，４は同一レベルではなく、上下に異なる位置に設けられることとなる。すなわち、図２では、挿入口３が挿入口４よりも高い位置となっている。従って、図２の状態においてフレキシブル配線板１を挿入口３から挿入していき、電気接続子８の上端のバネ性に抗してこの上端を押し下げるように差し込まれると、外部に露出した回路導体１Ａの端部が電気接続子８の上端に接触する。この上下方向において下方に位置するようにフレキシブル配線板２を挿入口４から差し込むと、電気接続子８の下端が露出した回路導体２Ａの端部に接触する。この電気接続子８はその上下端が中心側に押し戻された形でコネクタハウジング５の内部にセットされているので、この電気接続子８の上下端においてアッパー部材５Ａとボトム部材５Ｂとで夫々のフレキシブル配線板１，２を強く挟み込むこととなる。これにより確実かつ信頼性の高い接触が可能となる。
【００１１】
図３は電気接続子８の変形例を示すものであり、板状物８の上方に突出する第１突部８Ｂを上部とし、この第１突部８Ｂから離れて下方に突出する第２突部８Ｃを下部とするようにしたものである。このような電気接続子８は、図４に示すように仕切板６の切欠孔７にセットされる。フレキシブル配線板１，２はこれら第１突部８Ｂおよび第２突部８Ｃに接触する。図４に示す実施形態では、長手方向においての小型化は、図２に示す実施形態よりも劣るが、従来技術に比べては小型化する。いずれの実施形態においても、挿入口が同一レベルではなく、上下に分かれているので、２枚のフレキシブル配線板１，２は上下方向において重なり合う形になるため、コネクタ自体が全体として小型化できる。
【図面の簡単な説明】
【００１２】
【図１】本発明の実施形態を示す分解斜視図。
【図２】組み立てた状態の断面図。
【図３】電気接続子の他の例を示す斜視図。
【図４】図３の電気接続子を用いたコネクタの断面図。
【図５】従来例を示す斜視図。
【符号の説明】
【００１３】
１，２  フレキシブル配線板
１Ａ，２Ａ  回路導体
３，４  挿入口
５    コネクタハウジング
６    仕切板
６Ａ  仕切本体
７    切欠孔
８    電気接続子
【図１】
2006216490.tif 000003
【図２】
2006216490.tif 000004
【図３】
2006216490.tif 000005
【図４】
2006216490.tif 000006
【図５】
2006216490.tif 000007